(57)【要約】【課題】  端末を収容する端末収容装置を有する通信システムにおいて、端末が、どの端末収容装置に収容された場合でも、同じネットワークに係るアドレスを用いて他の端末と通信する通信システムを提供する。【解決手段】  本発明は、端末収容装置に収容された第１の端末と他の端末との通信に関する。本発明は、第１の端末と、第１の端末を収容して第１のネットワークに接続させる端末収容装置とを備える通信システムにおいて、第１の端末を収容する際の認証に用いる認証情報が端末収容装置与えられると、所定の方法により第１の端末が関連する第２のネットワークの通信中継装置を識別する手段と、第１の端末がデータの送受信に用いるアドレス情報を端末収容装置が第２のネットワークのアドレス割当装置に要求しアドレス情報を読込む手段と、端末収容装置が読込んだアドレス情報を、第１の端末に通知する手段とを有することを特徴とする。【選択図】      図１
2009111835.tif 000002
【特許請求の範囲】
【請求項１】
第１の端末を収容して第１のネットワークに接続させ、上記第１の端末を、少なくとも上記第１のネットワークを介して他のネットワークに接続させる端末収容装置において、
上記第１の端末を収容する際の認証に用いる認証情報が、上記第１の端末から与えられると、所定の方法により、上記第１の端末が関連する第２のネットワークにおいて端末間の通信を中継する通信中継装置を識別する通信中継装置識別手段と、
上記第１の端末がデータの送受信に用いるアドレス情報を、上記第２のネットワークにおいてアドレスを割当てるアドレス割当装置に要求し、上記アドレス割当装置からアドレス情報を読込むアドレス情報取得手段と、
上記識別情報取得手段が読込んだアドレス情報を、上記第１の端末に通知するアドレス情報通知手段と、
を有することを特徴とする端末収容装置。
【請求項２】
上記通信中継装置特定手段は、予め当該端末収容装置に設定された上記通信中継装置に係る識別情報、及び又は、上記第１の端末を収容する際の認証において外部の認証装置から与えられた情報に基づいて上記通信中継装置を識別することを特徴とする請求項１に記載の端末収容装置。
【請求項３】
上記第１の端末から上記第２の端末に向けて送出されたデータが与えられると、与えられたデータを上記第２の端末に向けて送出し、上記第２の端末から上記第１の端末に向けて送出されたデータが、上記中通信継装置を中継して与えられると、与えられたデータを上記第１の端末に転送する中継通信手段を有することを特徴とする請求項１又は２に記載の端末収容装置。
【請求項４】
上記中継通信手段は、上記第１の端末から、上記第１の端末と通信する第２の端末に向けて送出されたデータが与えられると、与えられたデータを上記中通信継装置を経由して上記第２の端末に転送することを特徴とする請求項１〜３のいずれかに記載の端末収容装置。
【請求項５】
第１の端末を収容して第１のネットワークに接続させ、上記第１の端末を、少なくとも上記第１のネットワークを介して他のネットワークに接続させる端末収容装置に搭載されたコンピュータを、
上記第１の端末を収容する際の認証に用いる認証情報が、上記第１の端末から与えられると、所定の方法により、上記第１の端末が関連する第２のネットワークにおいて端末間の通信を中継する通信中継装置を識別する通信中継装置識別手段と、
上記第１の端末がデータの送受信に用いるアドレス情報を、上記第２のネットワークにおいてアドレスを割当てるアドレス割当装置に要求し、上記アドレス割当装置からアドレス情報を読込むアドレス情報取得手段と、
上記識別情報取得手段が読込んだアドレス情報を、上記第１の端末に通知するアドレス情報通知手段と
して機能させることを特徴とする通信プログラム。
【請求項６】
第１の端末と、上記第１の端末を収容して第１のネットワークに接続させ、上記第１の端末を、少なくとも上記第１のネットワークを介して他のネットワークに接続させる端末収容装置とを備える通信システムにおける通信方法において、通信中継装置識別手段と、アドレス情報取得手段と、アドレス情報通知手段とを有し、
上記通信中継装置識別手段は、上記第１の端末を収容する際の認証に用いる認証情報が、上記第１の端末から、上記端末収容装置与えられると、所定の方法により、上記第１の端末が関連する第２のネットワークにおいて端末間の通信を中継する通信中継装置を識別し、
上記アドレス情報取得手段は、上記第１の端末がデータの送受信に用いるアドレス情報を、上記端末収容装置から、上記第２のネットワークにおいてアドレスを割当てるアドレス割当装置に要求し、上記アドレス割当装置からアドレス情報を読込み
上記アドレス情報通知手段は、上記端末収容装置が、上記識別情報取得手段により読込んだアドレス情報を、上記第１の端末に通知する
ことを特徴とする通信方法。
【請求項７】
第１の端末と、上記第１の端末を収容して第１のネットワークに接続させ、上記第１の端末を、少なくとも上記第１のネットワークを介して他のネットワークに接続させる端末収容装置とを備える通信システムにおいて、
上記通信端末収容装置端末収容装置として、請求項１に記載の通信端末収容装置端末収容装置を適用したことを特徴とする通信システム。
【発明の詳細な説明】
【技術分野】
【０００１】
この発明は、端末収容装置、通信プログラム、通信方法及び通信システムに関し、例えば、通信端末（例えば、ＩＥＥＥ８０２．１１に対応した無線ＬＡＮ端末）をネットワークに接続させる通信システムに適用し得る。
【背景技術】
【０００２】
ＩＥＥＥ８０２．１１準拠の無線ＬＡＮ（ＷｉＦｉ（Ｗｉｒｅｌｅｓｓ  Ｆｉｄｅｌｉｔｙ）と呼ばれている）の端末（ＷｉＦｉ端末）は、かなり普及している一方、ＩＥＥＥ８０２．１６準拠の無線ＭＡＮ（ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）と呼ばれている）に係る網（ＷｉＭＡＸ網）の研究も盛んであり、実用化も目前である（非特許文献１参照）。このような状況において、例えば、ＷｉＦｉ端末を、ゲートウェイ装置(端末収容装置)に収容し、ＷｉＭＡＸを利用して構築された無線アクセス回線利用して、インターネットなどのネットワークに接続させるシステムが考えられている（非特許文献２参照）。
【０００３】
図７は、ＷｉＭＡＸを利用して、無線通信端末（ＷｉＦｉ端末）をインターネットに接続させる従来の通信システム１Ａの構成の例を示したブロック図である。
【０００４】
図８〜図１１は、図７に示す従来の通信システム１Ａにおいて、無線通信端末（ＷｉＦｉ端末）をインターネットに接続させる動作を示したシーケンス図である。
【０００５】
ゲートウェイ装置１００Ａは、無線通信端末２００Ａや有線通信端末２１０Ａなどの通信端末を収容し、収容した端末をＷｉＭＡＸ網Ｎ１を経由して、インターネットＮ３に接続させるものである。
【０００６】
ゲートウェイ装置１００Ａは、無線通信端末２００Ａの要求に応じて、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）により、ゲートウェイ装置１００Ａの配下のネットワークでのみ使用するローカルアドレスを、収容する無線通信端末２００Ａに通知する（図１０に示すステップＳ２０４参照）。
【０００７】
以降、無線通信端末２００Ａから送出されたパケットは、ゲートウェイ装置１００ＡにおけるＮＡＰＴ（Ｎｅｔｗｏｒｋ  Ａｄｄｒｅｓｓ  Ｐｏｒｔ  Ｔｒａｎｓｌａｔｉｏｎ）の機能により、ゲートウェイ装置１００ＡのＩＰアドレス及びポート番号で変換され、ＷｉＭＡＸ網Ｎ１を介して、インターネットＮ３に送出される。また、インターネットＮ３から無線通信端末２００Ａへ送出されたＩＰパケットの宛先は、ゲートウェイ装置１００のＩＰアドレスであるため、インターネットＮ３からＷｉＭＡＸ網Ｎ１へ送信され、同様にゲートウェイ装置１００ＡにおけるＮＡＰＴの機能により、ＩＰアドレス及びポート番号で変換され、無線通信端末２００Ａに与えられる。
【非特許文献１】庄納崇著、「改訂版ワイヤレス・ブロードバンド時代を創るＷｉＭＡＸ」、２００５年１２月株式会社インプレスＲ＆Ｄ発行、ｐ３２
【非特許文献２】服部武、藤岡雅信編著、「改訂版  ワイヤレス・ブロードバンド教科書−高速ＩＰワイヤレス編」、２００６年６月株式会社インプレスＲ＆Ｄ発行、第４章及び第５章
【発明の開示】
【発明が解決しようとする課題】
【０００８】
しかしながら、上述の図７に示すゲートウェイ装置１００Ａでは、複数の通信端末（無線通信端末２００Ａ、有線通信端末２１０Ａ）が接続され、またＮＡＰＴ機能により複数の端末（無線通信端末２００Ａ、有線通信端末２１０Ａ）を、ゲートウェイ装置１００Ａの１つのＩＰアドレスでのポート番号で分けて通信を行うため、異なるＩＳＰに契約している複数のユーザが使用する通信端末があった場合でも、同じネットワーク（ＷｉＭＡＸ網Ｎ１）のＩＰアドレスを用いて通信することになる。このため、例えば、無線通信端末２００Ａがインターネットとの間で送受信するＩＰパケットは、ユーザ（無線通信端末２００Ａの使用者）が、他ＩＳＰネットワークＮ２と契約していた場合でも、他ＩＳＰネットワークＮ２を経由せず、異なるネットワークのＩＰアドレスを送信元のＩＰアドレスとして通信することになる。例えば、ウィルスチェックのサービスなどＩＳＰ毎の付加サービスは、接続する通信端末のＩＰアドレスを制限している場合があり、上述のような、契約しているＩＳＰのネットワークに係るＩＰアドレスとは異なるＩＰアドレスを用いて、端末がサーバにアクセスした場合に、サービス提供を受けることができないという問題があった。
【０００９】
また、従来の通信システム１Ａにおいては、無線通信端末２００Ａには、ゲートウェイ装置１００Ａ配下のローカルアドレスが割当られることから、例えば、無線通信端末２００ＡがＷｉＦｉとＷｉＭＡＸ通信機能の両方を持ち、ＷｉＭＡＸ通信エリアで既にグローバルアドレス（Ｍｏｂｉｌｅ  ＩＰアドレス；ＭＩＰアドレス）を獲得していたところ、ゲートウェイ装置１００ＡのＷｉＦｉ配下に移動してきた場合、ＩＰアドレスが変わってしまうため、通信中のコネクションやサービスが途切れてしまうという問題があった。
【００１０】
そのため、端末を収容する端末収容装置を有する通信システムにおいて、端末が、どの端末収容装置に収容された場合でも、同じネットワークに係るアドレス（例えば、ＩＰアドレス）を用いて他の端末と通信することができる端末収容装置、通信プログラム、通信方法及び通信システムが望まれている。
【課題を解決するための手段】
【００１１】
第１の本発明の端末収容装置は、（１）第１の端末を収容して第１のネットワークに接続させ、上記第１の端末を、少なくとも上記第１のネットワークを介して他のネットワークに接続させる端末収容装置において、（２）上記第１の端末を収容する際の認証に用いる認証情報が、上記第１の端末から与えられると、所定の方法により、上記第１の端末が関連する第２のネットワークにおいて端末間の通信を中継する通信中継装置を識別する通信中継装置識別手段と、（３）上記第１の端末がデータの送受信に用いるアドレス情報を、上記第２のネットワークにおいてアドレスを割当てるアドレス割当装置に要求し、上記アドレス割当装置からアドレス情報を読込むアドレス情報取得手段と、（４）上記識別情報取得手段が読込んだアドレス情報を、上記第１の端末に通知するアドレス情報通知手段と、を有することを特徴とする。
【００１２】
第２の本発明の通信プログラムは、（１）第１の端末を収容して第１のネットワークに接続させ、上記第１の端末を、少なくとも上記第１のネットワークを介して他のネットワークに接続させる端末収容装置に搭載されたコンピュータを、（２）上記第１の端末を収容する際の認証に用いる認証情報が、上記第１の端末から与えられると、所定の方法により、上記第１の端末が関連する第２のネットワークにおいて端末間の通信を中継する通信中継装置を識別する通信中継装置識別手段と、（３）上記第１の端末がデータの送受信に用いるアドレス情報を、上記第２のネットワークにおいてアドレスを割当てるアドレス割当装置に要求し、上記アドレス割当装置からアドレス情報を読込むアドレス情報取得手段と、（４）上記識別情報取得手段が読込んだアドレス情報を、上記第１の端末に通知するアドレス情報通知手段と、として機能させることを特徴とする通信プログラム。
【００１３】
第３の本発明の通信方法は、（１）第１の端末と、上記第１の端末を収容して第１のネットワークに接続させ、上記第１の端末を、少なくとも上記第１のネットワークを介して他のネットワークに接続させる端末収容装置とを備える通信システムにおける通信方法において、通信中継装置識別手段と、アドレス情報取得手段と、アドレス情報通知手段とを有し、（２）上記通信中継装置識別手段は、上記第１の端末を収容する際の認証に用いる認証情報が、上記第１の端末から、上記端末収容装置与えられると、所定の方法により、上記第１の端末が関連する第２のネットワークにおいて端末間の通信を中継する通信中継装置を識別し、（３）上記アドレス情報取得手段は、上記第１の端末がデータの送受信に用いるアドレス情報を、上記端末収容装置から、上記第２のネットワークにおいてアドレスを割当てるアドレス割当装置に要求し、上記アドレス割当装置からアドレス情報を読込み（４）上記アドレス情報通知手段は、上記端末収容装置が、上記識別情報取得手段により読込んだアドレス情報を、上記第１の端末に通知することを特徴とする。
【００１４】
第４の本発明の通信システムは、（１）第１の端末と、上記第１の端末を収容して第１のネットワークに接続させ、上記第１の端末を、少なくとも上記第１のネットワークを介して他のネットワークに接続させる端末収容装置とを備える通信システムにおいて、（２）上記通信端末収容装置端末収容装置として、第１の本発明の通信端末収容装置端末収容装置を適用したことを特徴とする。
【発明の効果】
【００１５】
端末を収容する端末収容装置を有する通信システムにおいて、端末が、どの端末収容装置に収容された場合でも、同じネットワークに係るアドレス（例えば、ＩＰアドレス）を用いて他の端末と通信する通信システムを提供することができる。
【発明を実施するための最良の形態】
【００１６】
（Ａ）主たる実施形態
以下、本発明による端末収容装置、通信プログラム、通信方法及び通信システムの一実施形態を、図面を参照しながら詳述する。なお、この実施形態の端末収容装置は、ゲートウェイ装置である。
【００１７】
（Ａ−１）実施形態の構成
図１は、この実施形態の通信システム１の機能的構成を示すブロック図である。
【００１８】
図１において、実施形態の通信システム１は、通信端末（無線通信端末２００、有線通信端末２１０）を、ゲートウェイ装置１００を介して、ＷｉＭＡＸ網Ｎ１に接続させ、さらに、ＷｉＭＡＸ網Ｎ１を介して、他のネットワークに接続させるものである。図１において、ＷｉＭＡＸ網Ｎ１は、他ＩＳＰネットワークＮ２、インターネットＮ３に接続されている。なお、ＷｉＭＡＸ網Ｎ１が接続する他のネットワークは、他ＩＳＰネットワークＮ２、インターネットＮ３に限定されず、他のネットワークと接続していても良い。
【００１９】
ＷｉＭＡＸ網Ｎ１は、少なくともゲートウェイ装置１００、ＢＳ３００、ＡＳＮ−ＧＷ／ＦＡ４００、認証サーバ５００、ＤＨＣＰサーバ５０１、ＨＡ５０２、無線通信端末２００、有線通信端末２１０などを構成要素としており、インターネットＮ３とも接続可能なものである。
【００２０】
ＷｉＭＡＸ網Ｎ１においては、例えば、ＢＳ３００及びＡＳＮ−ＧＷ／ＦＡ４００は、ネットワーク接続事業者（Ｎｅｔｗｏｒｋ  Ａｃｃｅｓｓ  Ｐｒｏｖｉｄｅｒ；ＮＡＰ）に係るアクセスサービスネットワーク（Ａｃｃｅｓｓ  Ｓｅｒｖｉｃｅ  Ｎｅｔｗｏｒｋ；ＡＳＮ）の構成要素であり、認証サーバ５００、ＤＨＣＰサーバ５０１、ＨＡ５０２は、ＷｉＭＡＸアクセスサービス事業者であるネットワーク提供事業者（Ｎｅｔｗｏｒｋ  Ｓｅｒｖｉｃｅ  Ｐｒｏｖｉｄｅｒ；ＮＳＰ）に係る接続サービスネットワーク（Ｃｏｎｎｅｃｔｉｖｉｔｙ  Ｓｅｒｖｉｃｅ  Ｎｅｔｗｏｒｋ；ＣＳＮ）の構成要素である。
【００２１】
他ＩＳＰネットワークＮ２は、例えば、ＷｉＭＡＸ網Ｎ１とは異なるネットワーク提供事業者（ＮＳＰ）のネットワークであり、ＷｉＭＡＸ網Ｎ１及びインターネットＮ３に接続しているものである。他ＩＳＰネットワークＮ２は、少なくとも認証サーバ６００、ＤＨＣＰサーバ６０１、ＨＡ６０２を構成要素としている。
【００２２】
通信システム１は、図１に示すように「モバイルＩＰ」の技術を適用して構築しても良い。モバイルＩＰとは、ＩＰネットワーク上で端末がネットワーク間を移動した時に，ＩＰアドレスの管理と移動先への通信パケットの転送を自動化する技術で、ＩＥＴＦ  ＲＦＣ２００２、２００３、３３４４などにより規定されている。モバイルＩＰの技術が適用されたシステムでは、端末（図１においては、無線通信端末２００、有線端末２１０に相当）の固有のＩＰアドレス（Ｈｏｍｅ  Ａｄｄｒｅｓｓ、以下「ＨｏＡ」と表す）と、端末の移動先ネットワークを特定するための気付ＩＰアドレス（Ｃａｒｅ  ｏｆ  Ａｄｄｒｅｓｓ、以下「ＣｏＡ」と表す）を対応付けて位置を管理し、端末の最寄りのルータまでカプセル化技術を用いてパケットを転送する。このような仕組みを、Ｈｏｍｅ  Ａｇｅｎｔ（以下、「ＨＡ」と表す）（図１におけるＨＡ５０２、６０２に相当）という位置管理を実施するルータと、気付アドレス（ＣｏＡ）をＨＡに通知するＦｏｒｅｉｇｎ  Ａｇｅｎｔ（以下、「ＦＡ」と表す）（図１におけるＡＳＮ−ＧＷ／ＦＡ４００に相当）が連動して実現する。
【００２３】
ゲートウェイ装置１００は、無線通信端末２００や有線通信端末２１０などの通信端末を１又は複数収容し、収容している通信端末を、ＷｉＭＡＸ網Ｎ１に接続させ、さらにＷｉＭＡＸ網Ｎ１を介して、例えば、他ＩＳＰネットワークＮ２、インターネットＮ３などの他のネットワークに接続させるものである。
【００２４】
ゲートウェイ装置１００は、ＣＰＵ、ＲＯＭ、ＲＡＭ、ＥＥＰＲＯＭ、ハードディスクなどのプログラムの実行構成、及び、他の通信装置と通信をするためのインタフェースを有する装置（１台に限定されず、複数台を分散処理し得るようにしたものであっても良い。）に、実施形態の通信プログラム等をインストールすることにより構築されるものであり、機能的には上述の図１のように示すことができる。また、ゲートウェイ装置１００は、図１においてはＷｉＭＡＸ網Ｎ１に１つのみ配置された構成となっているが、ＢＳ３００（ＡＳＮ−ＧＷ／ＦＡ４００）の配下に、複数配置されていても良い。
【００２５】
無線通信端末２００は、ゲートウェイ装置１００に収容される通信端末である。無線通信端末２００は、例えば、ＷｉＦｉ通信（ＩＥＥＥ８０２．１１シリーズに準拠した無線通信）に対応した通信端末であっても良い。また、無線通信端末２００は、例えば、ＷｉＦｉ通信に加えて、ＷｉＭＡＸ通信（ＩＥＥＥ８０２．１６シリーズに準拠した無線通信）に対応した通信端末であっても良い。ここでは、無線通信端末２００は、ゲートウェイ装置１００とＷｉＦｉ通信を行うものとする。図１においては、２つの無線通信端末２１０−１、２１０−２が配置されているが、その数は限定されないものである。
【００２６】
有線通信端末２１０も同様に、ゲートウェイ装置１００に収容される端末であり、ゲートウェイ装置１００とは、有線ＬＡＮにより接続された端末である。図１においては、２つの有線通信端末２１０−１、２１０−２が配置されているが、その数は限定されないものである。
【００２７】
ＢＳ３００は、基地局（Ｂａｓｅ  ｓｔａｔｉｏｎ）であり、ゲートウェイ装置１００をＡＳＮ−ＧＷ／ＦＡ４００に接続させるものである。ＢＳ３００は、例えば、ＷｉＭＡＸ通信などの無線通信によりゲートウェイ装置１００と接続する。
【００２８】
ＡＳＮ−ＧＷ／ＦＡ４００（Ａｃｃｅｓｓ  Ｓｅｒｖｉｃｅ  Ｎｅｔｗｏｒｋ  −  Ｇａｔｅｗａｙ／Ｆｏｒｅｉｇｎ  Ａｇｅｎｔ）は、上述のＦＡ（Ｆｏｒｅｉｇｎ  Ａｇｅｎｔ）の機能などを担っている。ＡＳＮ−ＧＷ／ＦＡ４００は、配下のゲートウェイ装置１００が収容している通信端末（無線通信端末２００、有線通信端末２１０）に係る情報を、ＨＡ５０２、６０２に通知する。また、ＡＳＮ−ＧＷ／ＦＡ４００は、ＢＳ３００を介してゲートウェイ装置１００と接続し、ゲートウェイ装置１００を、ＷｉＭＡＸ網Ｎ１に接続させる。
【００２９】
認証サーバ５００は、端末を接続させる際の認証などを行うものであり、例えば、ゲートウェイ装置１００や、通信端末（無線通信端末２００、有線通信端末２１０）などの端末を、ＷｉＭＡＸ網Ｎ１に接続させる際の認証を行うものである。認証サーバ６００は、上述した認証サーバ６００と同様のものであるので、詳しい説明は省略する。
【００３０】
ＤＨＣＰサーバ５０１は、端末に対してＩＰアドレスを払い出すものである。ＤＨＣＰサーバ５０１は、例えば、ゲートウェイ装置１００や通信端末（無線通信端末２００、有線通信端末２１０）に対してＩＰアドレスを払い出す。ＤＨＣＰサーバ６０１は、上述したＤＨＣＰサーバ６０１と同様のものであるので、詳しい説明は省略する。
【００３１】
ＨＡ５０２は、上述のＨＡ（Ｈｏｍｅ  Ａｇｅｎｔ）の機能を担っており、それぞれの無線通信端末２００、有線通信端末２１０が、どのＡＳＮ−ＧＷ／ＦＡ４００の配下に収容されているかなどを管理する。なお、ＨＡ６０２は他ＩＳＰネットワークＮ２に接続しているため管理対象となる端末が異なるが、その機能は上述のＨＡ５０２と同様のものである。
【００３２】
また、ＨＡ５０２、６０２は、ルータとしての機能も担っている。例えば、ＨＡ６０２では、通信端末ＡＳＮ−ＧＷ／ＦＡ４００、ＢＳ３００、ゲートウェイ装置１００を介して、通信端末（無線通信端末２００、有線通信端末２１０）と接続し、他ＩＳＰネットワークＮ２、インターネットＮ３の端末と接続させる中継を行う。また、ＨＡ６０２では、他のネットワーク（例えば、他ＩＳＰネットワークＮ２）に接続しているゲートウェイ装置からの要求に応じて、その要求のあったゲートウェイ装置に収容されている通信端末に対して付与するＩＰアドレスを、ＤＨＣＰサーバ６０１から取得し、取得したＩＰアドレスをその要求のあったゲートウェイ装置に通知する中継を行っても良い。
【００３３】
ゲートウェイ装置１００は、制御部１０１、ＷｉＭＡＸ無線部１０２、ＷｉＦｉ無線部１０３、有線通信インタフェース部１０４を有している。
【００３４】
ＷｉＭＡＸ無線部１０２は、ＢＳ３００とＷｉＭＡＸを用いて無線通信をするためのインタフェースである。ＷｉＦｉ無線部１０３は、無線通信端末２００とＷｉＦｉを用いて無線通信をするためのインタフェースである。有線通信インタフェース部１０４は、有線通信端末２１０と有線ＬＡＮ接続して通信するためのインタフェースである。
【００３５】
制御部１０１は、ゲートウェイ装置１００において通信を制御する機能を担っており、ＷｉＭＡＸ制御部１０５、パケットルート制御部１０６、ＷｉＦｉ制御部１０７、有線通信制御部１０８を有している。
【００３６】
ＷｉＦｉ無線部１０３は、ＷｉＦｉ無線部１０３を制御して、外部の通信端末との通信を制御するものである。ＷｉＦｉ無線部１０３は、ＷｉＦｉ無線部１０３を介して、外部の通信端末から与えられたデータを、制御部１０１に与え、制御部１０１から与えられた情報を、ＷｉＦｉ無線部１０３を介して、該当する外部の通信装置に向けて送出する。
【００３７】
有線インタフェース部１０４は、有線インタフェース部１０４を制御して外部の通信端末との通信を制御するものである。有線インタフェース部１０４は、有線インタフェース部１０４を介して、外部の通信端末から与えられたデータを、制御部１０１に与え、制御部１０１から与えられた情報を、有線インタフェース部１０４を介して、該当する外部の通信装置に向けて送出する。
【００３８】
ＷｉＭＡＸ制御部１０５は、ＷｉＭＡＸ無線部１０２を制御して、外部の通信端末とのＷｉＭＡＸ通信を制御するものである。ＷｉＭＡＸ制御部１０５は、ＷｉＭＡＸ無線部１０２を介して、外部の通信端末から与えられたデータを、制御部１０１に与え、制御部１０１から与えられた情報を、ＷｉＭＡＸ無線部１０２を介して、該当する外部の通信装置に向けて送出する。
【００３９】
パケットルート制御部１０６は、制御部１０１において、送受信するパケットの送受信について管理制御するものであり、ルート制御部１０９、ＤＨＣＰクライアント部１１０、ＣＭＩＰクライアント部１１１、ＤＨＣＰ−ＭＩＰ変換部１１２を有している。
【００４０】
ルート制御部１０９は、当該ゲートウェイ装置１００が収容している通信端末（無線通信端末２００、有線通信端末２１０）から上位のネットワークの端末に向けて送出されたパケットを、ＢＳ３００を介してＡＳＮ−ＧＷ／ＦＡ４００に転送するなどの制御を行う。また、ルート制御部１０９は、当該ゲートウェイ装置１００が収容している通信端末（無線通信端末２００、有線通信端末２１０）宛のパケットが与えられると、該当する通信端末（無線通信端末２００、有線通信端末２１０）に転送する。
【００４１】
ＤＨＣＰクライアント部１１０は、ＡＳＮ−ＧＷ／ＦＡ４００を介して、ＤＨＣＰサーバ５０１と接続し、当該ゲートウェイ装置１００のインタフェース（ＷｉＭＡＸ無線部１０２）に設定するアドレスを取得するものである。
【００４２】
ＤＨＣＰ−ＭＩＰ変換部１１２は、通信端末（無線通信端末２００、有線通信端末２１０）からのＤＨＣＰリクエストに応じて、ＣＭＩＰクライアント部１１１を起動し、ＣＭＩＰクライアント部１１１が、上位のネットワーク（例えば、ＤＨＣＰサーバ５０１、６０１）から取得してきたＭＩＰアドレス（Ｍｏｂｉｌｅ  ＩＰアドレス）を、通信端末（無線通信端末２００、有線通信端末２１０）に通知するものである。ＤＨＣＰ−ＭＩＰ変換部１１２の機能の詳細については後述する動作説明において説明する。
【００４３】
ＣＭＩＰクライアント部１１１は、ＤＨＣＰ−ＭＩＰ変換部１１２からの要求に応じて、上位のネットワーク（例えば、ＤＨＣＰサーバ５０１、６０１）から取得してきたＭＩＰアドレスを取得するものである。ＣＭＩＰクライアント部１１１の機能の詳細については後述する動作説明において説明する。
【００４４】
制御部１０１は、以下に示すような機能も担っている。制御部１０１は、当該ゲートウェイ装置１００に、通信端末（無線通信端末２００、有線通信端末２１０）を収容する際に、通信端末（無線通信端末２００、有線通信端末２１０）から与えられる情報に基づいて、その通信端末（無線通信端末２００、有線通信端末２１０）が、他のネットワーク（例えば、インターネットＮ３）との通信において、中継しようとするネットワークのＨＡ（例えば、ＨＡ６０２）の識別情報（例えば、ＩＰアドレス）を取得する。
【００４５】
例えば、制御部１０１では、通信端末（無線通信端末２００、有線通信端末２１０）から、当該ゲートウェイ装置１００に収容するための認証に用いる認証情報が与えられると、その認証情報に基づいて、所定の方法により中継するネットワークのＨＡのＩＰアドレス（ＨＡアドレス）を取得しても良い。
【００４６】
通信端末（無線通信端末２００、有線通信端末２１０）から与えられた認証情報に基づいて、当該通信端末が中継するネットワークのＨＡのＩＰアドレスを取得する方法としては、例えば、当該通信端末について認証が行われる際に、認証サーバ５００又は６００から取得しても良い。また、例えば、図１において図示は省略しているが、中継する可能性のあるネットワークごとのＨＡアドレスの情報を、予めゲートウェイ装置１００の内部又は外部に記憶しておき、認証情報に含まれる情報（例えば、ドメイン名などの中継するネットワークに係る情報）と照合して、中継するネットワークのＨＡのＩＰアドレスを取得しても良いし、上述の認証サーバから取得する方法と組み合わせて適用しても良い。
【００４７】
（Ａ−２）実施形態の動作
次に、以上のような構成を有するこの実施形態の通信システムの動作（実施形態の通信方法）を説明する。
【００４８】
図２〜図６は、ゲートウェイ装置１００及び無線通信端末２００−１が、ネットワークに接続する際の動作について示したシーケンス図である。
【００４９】
図２、図３において、ステップＳ１０１、Ｓ１０２は、ゲートウェイ装置１００が起動し、通信システム１に参加する際の動作について示している。また、図４〜図６において、ステップＳ１０３〜Ｓ１０５は、例えば、無線通信端末２００−１が通信システム１に参加し、上述の図１において図示は省略しているが、インターネットＮ３上に存在する端末と通信する際の動作について示している。また、ここでは、無線通信端末２００−１の使用者は、他ＩＳＰネットワークＮ２のネットワーク事業者と契約しており、他ＩＳＰネットワークＮ２のＩＰアドレスを用いてインターネットＮ３などに接続するものとする。
【００５０】
（Ａ−２−１）ゲートウェイ装置のネットワーク参加
まず、ゲートウェイ装置１００が起動し、通信システム１に参加する際の動作について説明する。
【００５１】
ステップＳ１０１は、ゲートウェイ装置１００が起動され、ＷｉＭＡＸ網Ｎ１に接続するために、認証サーバ５００により認証が行われるステップである。
【００５２】
以下、ステップＳ１０１の詳細について説明する。まず、ゲートウェイ装置１００が起動されると、ＩＥＥＥ８０２．１６ｅの手順に従って接続、認証が開始される。ＷｉＭＡＸ制御部１０５は、保持しているゲートウェイ装置１００の認証情報を用いてＷｉＭＡＸ無線部１０２とともに、ＩＥＥＥ８０２．１６の手順に従ってＷｉＭＡＸコネクションの接続手順を開始し、認証情報がＢＳ３００、ＡＳＮ−ＧＷ／ＦＡ４００を経由し、認証サーバ５００に伝えられ認証され、ゲートウェイ装置１００とＢＳ３００の間にＷｉＭＡＸコネクションが確立される。そして、ＡＳＮ−ＧＷ／ＦＡ４００においてゲートウェイ装置１００のアドレス（例えば、ＭＡＣアドレス）と、認証されたネットワーク（ＷｉＭＡＸ網Ｎ１）に関する情報が記憶される。
【００５３】
ステップＳ１０２は、ゲートウェイ装置１００からＤＨＣＰサーバ５０１への要求メッセージに基づいて、ゲートウェイ装置１００に対して、ＩＰアドレスなどが設定されるステップである。
【００５４】
以下、ステップＳ１０２の詳細について説明する。ゲートウェイ装置１００とＢＳ３００の間にＷｉＭＡＸコネクションが確立すると、ゲートウェイ装置１００では、ＤＨＣＰクライアント部１１０により、ＩＰアドレス取得のためのＤＨＣＰメッセージが、ＢＳ３００を介して、ＡＳＮ−ＧＷ／ＦＡ４００に送信される。そして、ゲートウェイ装置１００からのＤＨＣＰメッセージを受け取ったＡＳＮ−ＧＷ／ＦＡ４００では、記憶しているＭＡＣアドレスから、該当するネットワーク（ＷｉＭＡＸ網Ｎ１）に係るＤＨＣＰサーバ５０１にＤＨＣＰメッセージがリレーされ、ＤＨＣＰサーバ５０１により付与されたＩＰアドレスが取得される。
【００５５】
ＰＭＩＰ(Ｐｒｏｘｙ  ＭｏｂｉｌｅＩＰ)のＦＡ（Ｆｏｒｅｉｇｎ  Ａｇｅｎｔ）の機能を担っているＡＳＮ−ＧＷ／ＦＡ４００は、自ＩＰアドレスをＣｏＡ（Ｃａｒｅ  ｏｆ  Ａｄｄｒｅｓｓ）、獲得したＩＰアドレスをＨｏＡ（Ｈｏｍｅ  Ａｄｄｒｅｓｓ）として該当するネットワークの５０２ＨＡに登録をし、ＤＨＣＰメッセージにてゲートウェイ装置１００に獲得したＩＰアドレスを通知する。ゲートウェイ装置１００では、獲得したＩＰアドレスの情報を有するＤＨＣＰメッセージが、ＷｉＭＡＸ無線部１０２及びＷｉＭＡＸ制御部１０５を介してＤＨＣＰクライアント部１１０に通知される。ＤＨＣＰクライアント部１１０では、通知されたＤＨＣＰメッセージから獲得したＩＰアドレスが抽出され、図１において図示は省略しているが、制御部１０１において獲得したＩＰアドレスが記憶される。
【００５６】
（Ａ−２−２）無線通信端末のネットワーク参加
次に、無線通信端末２００−１が、通信システム１に参加し、インターネットＮ３上に存在する端末と通信する際の動作について説明する。なお、無線通信端末２００−１を有線通信端末２１０に置き換えた場合でも、無線通信端末２００−１の場合とほぼ同様であるので説明を省略する。
【００５７】
ステップＳ１０３では、無線通信端末２００−１が、本来接続するべきネットワーク（例えば、無線通信端末２００−１が契約しているプロバイダーのネットワーク）が、他ＩＳＰネットワークＮ２と特定される。そして、無線通信端末２００−１を、他ＩＳＰネットワークＮ２のＨＡ６０２経由で、他のネットワーク（例えば、インターネットＮ３）にアクセスさせるための認証が行われる。
【００５８】
以下、ステップＳ１０３の詳細について説明する。例えば、無線通信端末２００が、ゲートウェイ装置１００と無線通信可能な領域に移動すると、無線通信端末２００とゲートウェイ装置１００との間では、ＩＥＥＥ８０２．１１及びＩＥＥＥ８０２．１Ｘの手順に従って接続、認証が開始される。ゲートウェイ装置１００において、ＷｉＦｉ制御部１０７は、無線通信端末２００から受け取った認証情報がルート制御部１０９に与えられる。そして、ルート制御部１０９により、ＷｉＭＡＸ制御部１０５及びＷｉＭＡＸ無線部１０２を介して認証情報が送出され、ＢＳ３００及びＡＳＮ−ＧＷ／ＦＡ４００を介し認証サーバ５００に与えられる。
【００５９】
認証情報が認証サーバ５００に与えられると、認証サーバ５００では、認証情報から該当するネットワーク（他ＩＳＰネットワークＮ２）の認証サーバ６００にメッセージをリレーし、認証サーバ６００において認証が行われる。そして、認証サーバ６００、５００からの暗号キー情報を含む認証結果情報が、ゲートウェイ装置１００に与えられる。ゲートウェイ装置１００では、その暗号キー情報を元に、ＩＥＥＥ８０２．１１の手順に従って無線通信端末２００との間の暗号化を含めた接続が確立される。
【００６０】
ステップＳ１０４は、無線通信端末２００−１に、他ＩＳＰネットワークＮ２のＩＰアドレスを付与し、さらに、無線通信端末２００−１を他ＩＳＰネットワークＮ２（ＨＡ６０２）経由で他のネットワーク（例えば、インターネットＮ３）にアクセスさせるための経路が確保されるステップである。
【００６１】
以下、ステップＳ１０４の詳細について説明する。上述のステップＳ１０３により、無線通信端末２００−１と、ゲートウェイ装置１００との間でＷｉＦｉの接続が完了すると、無線通信端末２００−１から、ゲートウェイ装置１００に、ＩＰアドレス取得のためにＤＨＣＰメッセージが送信される。ゲートウェイ装置１００では、ＷｉＦｉ無線部１０３及びＷｉＦｉ制御部１０７を介して、ＤＨＣＰ−ＭＩＰ変換部１１２にＤＨＣＰメッセージを通知される。
【００６２】
そして、ＤＨＣＰ−ＭＩＰ変換部１１２により、ＣＭＩＰクライアント部１１１が起動される。そして、制御部１０１において、予め記憶されているＨＡアドレス（ＨＡ６０２のアドレス）、又は、上述のステップＳ１０２の認証において取得された情報に基づいて、ＨＡアドレス（ＨＡ６０２のアドレス）が特定され、ＤＨＣＰ−ＭＩＰ変換部１１２により、ＣＭＩＰクライアント部１１１に通知される。
【００６３】
そして、ＣＭＩＰクライアント部１１１から、ＡＳＮ−ＧＷ／ＦＡ４００に向けて、ＣｏＡ（ＡＳＮ−ＧＷ／ＦＡ４００のアドレス）及びＨＡアドレス（ＨＡ６０２のアドレス）の情報を有するパケットであって、当該パケットのソースアドレス（送信元のアドレス）がゲートウェイ装置１００のアドレスとなっているパケット（以下、「ＣＭＩＰパケット」という）が送出される。
【００６４】
ゲートウェイ装置１００（ＣＭＩＰクライアント部１１１）からＣＭＩＰパケットが与えられると、ＡＳＮ−ＧＷ／ＦＡ４００では、当該ＣＭＩＰパケットのＨＡアドレスに従って、当該ＣＭＩＰパケットが転送される。ここでは、当該ＣＭＩＰパケットにおいては、ＨＡアドレスは、ＨＡ６０２のアドレスとなっているので、ＡＳＮ−ＧＷ／ＦＡ４００からＨＡ６０２に、当該ＣＭＩＰパケットが転送される。
【００６５】
ゲートウェイ装置１００から送出されたＣＭＩＰパケットが、ＨＡ６０２に与えられると、ＨＡ６０２では、認証サーバ６００及び６０１ＤＨＣＰサーバと通信が行われ、該当ネットワーク（他ＩＳＰネットワークＮ２）のＩＰアドレス（以下、「ＨｏＡ−２」と表す）が獲得される。そして、ＨｏＡ−２は、ＡＳＮ−ＧＷ／ＦＡ４００を経由しゲートウェイ装置１００に通知される。
【００６６】
ゲートウェイ装置１００では、ＷｉＭＡＸ無線部１０２及びＷｉＭＡＸ制御部１０５を介してＣＭＩＰクライアント部１１１に、ＨｏＡ−２が通知される。
【００６７】
ＨｏＡ−２が通知されると、ＣＭＩＰクライアント部１１１により、通知されたＨｏＡ−２がＤＨＣＰ−ＭＩＰ変換部１１２に与えられる。ＨｏＡ−２が与えられると、ＤＨＣＰ−ＭＩＰ変換部１１２により、そのＩＰアドレスが無線通信端末２００−１に与えられる。
【００６８】
ステップＳ１０５は、無線通信端末２００−１が、他ＩＳＰネットワークＮ２のＨＡ６０２を経由して、インターネットＮ３上のサーバなどの端末と通信するステップである。
【００６９】
以下、ステップＳ１０５の詳細について説明する。無線通信端末２００−１から送出されるパケットは、ゲートウェイ装置１００のルート制御部１０９により、ＷｉＭＡＸ網Ｎ１へ転送される。
【００７０】
ＷｉＭＡＸ網Ｎ１では、無線通信端末２００から送出されたパケットのソースアドレス（送信元アドレス）が、自ネットワーク（ＷｉＭＡＸ網Ｎ１）とは異なるネットワークである他ＩＳＰネットワークＮ２のＩＰアドレスであるため、他ＩＳＰネットワークＮ２へ転送され、インターネットＮ３へ送信される。
【００７１】
また、インターネットからの無線通信端末２００−１へのＩＰパケットは、宛先が上述のＨｏＡ−２（他ＩＳＰネットワークＮ２のＨＡ６０２に設定されたアドレス）であるため、インターネットからは、ＨＡ６０２に送信され、ＨＡ６０２のＭＩＰ機能によってＷｉＭＡＸアクセス事業者のＡＳＮ−ＧＷ／ＦＡ４００へ転送される。ＡＳＮ−ＧＷ／ＦＡ４００からＩＰパケットが転送されてくると、ゲートウェイ装置１００（ルート制御部１０９）ではルーティングが行われ、さらに無線通信端末２００へＩＰパケットが転送される。
【００７２】
（Ａ−３）実施形態の効果
この実施形態によれば、以下のような効果を奏することができる。
【００７３】
この実施形態では、ゲートウェイ装置１００が、無線通信端末２００−１の使用者が契約している他ＩＳＰネットワークＮ２のＩＰアドレスを、ＨＡ６０２を経由してＤＨＣＰサーバ６０１から取得し、無線通信端末２００−１に通知している。そして、無線通信端末２００−１は、他ＩＳＰネットワークＮ２のＩＰアドレスをＩＰパケットの送信元のＩＰアドレスとし、他ＩＳＰネットワークＮ２（ＨＡ６０２）を経由して、インターネットＮ３上のサーバと通信している。すなわち、この実施形態の通信システム１では、各通信端末（無線通信端末２００、有線通信端末２１０）ごとに、その使用者が契約しているＩＳＰを経由して、インターネット上のサーバなどの端末通信することができる。これにより、接続する端末のＩＰアドレスを制限しているＩＳＰ毎の付加サービス（例えば、ウィルスチェック）を受けることができるという効果が得られる。
【００７４】
また、この実施形態では、無線通信端末２００には、ＭＩＰアドレスが割当られることから、ＷｉＦｉとＷｉＭＡＸ通信の両方に対応し、ＷｉＭＡＸ通信エリアで既にグローバルアドレス（ＭＩＰアドレス）を獲得していた無線通信端末２００が、無線通信端末２００とＷｉＦｉ通信しか行わないゲートウェイ装置１００配下に移動してきた場合も、同様にグローバルアドレス（ＭＩＰアドレス）を取得できるので、ＩＰアドレスが変わらずサービスを継続することができるという効果を奏する。
【００７５】
さらに、上述の図５のステップＳ１０４に示すように、通信端末（無線通信端末２００、有線通信端末２１０）は、ゲートウェイ装置１００とＤＨＣＰによる通信のみでグローバルアドレス（ＭＩＰアドレス）を取得することができるので、無線通信端末２００が、ＷｉＭＡＸ通信に対応しない場合であっても、グローバルアドレス（ＭＩＰアドレス）を取得することができるという効果も奏する。また、通信端末（無線通信端末２００、有線通信端末２１０）がモバイルＩＰに対応していない場合であっても、同様にグローバルアドレス（ＭＩＰアドレス）を用いて通信することができる。
【００７６】
（Ｂ）他の実施形態
本発明は、上記の実施形態に限定されるものではなく、以下に例示するような変形実施形態も挙げることができる。
【００７７】
（Ｂ−１）上記の実施形態において、ゲートウェイ装置１００は、通信端末（無線通信端末２００、有線通信端末２１０）や、ＡＳＮ−ＧＷ／ＦＡ４００などの外部の通信装置と、ＷｉＭＡＸ又はＷｉＦｉにより通信を行っているが、他の無線方式であっても良い。
【００７８】
（Ｂ−２）上記の実施形態において、ゲートウェイ装置１００は、ＷｉＦｉ無線部１０３（ＷｉＦｉ制御部１０７）及び、有線インタフェース部１０４（有線通信制御部１０８）を有して、無線通信端末２００及び有線通信端末２１０を収容しているが、ＷｉＦｉ無線部１０３（ＷｉＦｉ制御部１０７）のみを有して無線通信端末２００のみを収容してもよいし、有線インタフェース部１０４（有線通信制御部１０８）のみを有して、有線通信端末２１０のみを収容するようにしても良い。
【００７９】
（Ｂ−３）上記の実施形態においては、上述の図６のステップＳ１０５に示すように、無線通信端末２００から送出されたパケットをインターネットＮ３上の端末に送信する際には、ＨＡ６０２を中継しているが、例えば、ＨＡ６０２を中継せずに、ＡＳＮ−ＧＷ／ＦＡ４００からインターネットＮ３上の端末にパケットを送出しても良い。
【００８０】
（Ｂ−４）上記の実施形態において、例えば、上述の図４〜図６の説明においては、無線通信端末２００−１の使用者が、他ＩＳＰネットワークＮ２と契約している場合について説明したが、通信端末（無線通信端末２００、有線通信端末２１０）の使用者が契約している場合には限定されず、例えば、当該通信端末の使用者が、通常時は他ＩＳＰネットワークＮ２を中継してインターネットＮ３にしている場合であっても良い。すなわち、例えば、使用者が、通信端末を他ＩＳＰネットワークＮ２を経由してインターネットＮ３に接続させようとする操作を行い、ゲートウェイ装置１００に他ＩＳＰネットワークＮ２に接続するための認証情報が与えられた場合など、なんらかの関連があれば良い。
【図面の簡単な説明】
【００８１】
【図１】実施形態に係る通信システムの機能的構成を示すブロック図である。
【図２】実施形態に係る通信システムの動作を示すシーケンス図（１）である。
【図３】実施形態に係る通信システムの動作を示すシーケンス図（２）である。
【図４】実施形態に係る通信システムの動作を示すシーケンス図（３）である。
【図５】実施形態に係る通信システムの動作を示すシーケンス図（４）である。
【図６】実施形態に係る通信システムの動作を示すシーケンス図（５）である。
【図７】従来の通信システムの機能的構成を示すブロック図である。
【図８】従来の通信システムの動作を示すシーケンス図（１）である。
【図９】従来の通信システムの動作を示すシーケンス図（２）である。
【図１０】従来の通信システムの動作を示すシーケンス図（３）である。
【図１１】従来の通信システムの動作を示すシーケンス図（４）である。
【符号の説明】
【００８２】
１…通信システム、１００…ゲートウェイ装置、１０１…制御部、１０２…ＷｉＭＡＸ無線部、１０３…ＷｉＦｉ無線部、１０４…有線インタフェース部、１０５…ＷｉＭＡＸ制御部、１０６…パケットルート制御部、１０７…ＷｉＦｉ制御部、１０８…有線通信制御部、１０９…ルート制御部、１１０…ＤＨＣＰクライアント部、１１１…ＣＭＩＰクライアント部、１１２…ＤＨＣＰ−ＭＩＰ変換部、２００、２００−１、２００−２…無線通信端末、２１０、２１０−１、２１０−２…有線通信端末。
【図１】
2009111835.tif 000003
【図２】
2009111835.tif 000004
【図３】
2009111835.tif 000005
【図４】
2009111835.tif 000006
【図５】
2009111835.tif 000007
【図６】
2009111835.tif 000008
【図７】
2009111835.tif 000009
【図８】
2009111835.tif 000010
【図９】
2009111835.tif 000011
【図１０】
2009111835.tif 000012
【図１１】
2009111835.tif 000013